【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
流体収集システムであって、
上部開口を有するキャビティを有するハウジングと、
前記キャビティに受けられるように構成された流体収集容器と、を備え、
前記流体収集容器は、
前記上部開口を閉じるように構成された蓋と、
前記蓋が前記上部開口を閉じた際に、前記蓋と前記キャビティの間に配置されるようにして前記蓋に取り付けられた軟質ライナと、を備え、
前記軟質ライナと前記蓋は、間にほぼ密閉された内部空間を定義し、
前記蓋は、前記内部空間が流体を受けるアクセス口を含み、
前記軟質ライナは、前記キャビティ内で膨張可能で、前記内部空間から流体が取り出されるにつれて、少なくとも部分的に折りたたまれた状態に折りたたまれるように構成されていることを特徴とする流体収集システム。
【請求項２】
前記上部開口と前記蓋との間に位置するシールと、
前記キャビティ内で前記軟質ライナの下に位置するピストンと、
前記ピストンの端と前記キャビティとの間に位置する少なくとも１つのシールと、をさらに備え、
前記シールは、前記キャビティと前記軟質ライナの外部との間の空間に空気が入るのを防止し、
前記シールは、前記ピストンの下からの空気が、前記ピストンの上の前記キャビティの密閉部分に入ることを防止することを特徴とする請求項１に記載の流体収集システム。
【請求項３】
前記ピストン内の弁をさらに備え、前記弁は、前記キャビティ内の前記流体収集容器と前記ピストンの間の空間から空気が排出されることを可能にし、前記ピストンの下からの空気が、前記キャビティ内の前記流体収集容器と前記ピストンの間の空間に入ることを防止するように構成されていることを特徴とする請求項２に記載の流体収集システム。
【請求項４】
前記ピストンが第１の位置に移動されると、前記キャビティの内部側から、前記軟質ライナを移動させるように構成されている移動機構をさらに備えることを特徴とする請求項２に記載の流体収集システム。
【請求項５】
前記蓋のアクセス口と結合するように構成された排出コネクタを有するポンプアセンブリをさらに備え、
前記内部空間が流体を受ける前記アクセス口は、前記排出コネクタが結合するように構成された前記アクセス口と同じまたは別のものであることを特徴とする請求項１に記載の流体収集システム。
【請求項６】
前記蓋の前記アクセス口が、前記収集容器が流体を受ける少なくとも１つの吸引器具と連通するように構成された開口部となり、
前記蓋は、吸引源のアクセス口と連通するように構成された開口部をさらに含み、
前記軟質ライナは、流体収集の間は第１の位置まで伸張し、前記集められた流体が排出される間は第２の位置まで折りたたまれるように構成されていることを特徴とする請求項１に記載の流体収集システム。
【請求項７】
前記流体収集容器は、流体を収集する前に、前記軟質ライナを、ほぼ折りたたまれた位置に維持するように構成された、破断可能な素材を備える保持機構をさらに備えることを特徴とする請求項６に記載の流体収集システム。
【請求項８】
前記保持機構は、前記軟質ライナを前記蓋に対して保持する切断可能なバンドを備えることを特徴とする請求項７に記載の流体収集システム。
【請求項９】
少なくとも１つの吸引器具と連通するように構成された前記開口部は、前記蓋から分離可能な部分に配置されていることを特徴とする請求項６に記載の流体収集システム。
【請求項１０】
前記流体収集容器、特に前記蓋は、排出源と連通するように構成された第２の開口部をさらに備えることを特徴とする請求項６に記載の流体収集システム。
【請求項１１】
前記流体収集容器は、排出源との連通が確立されていなければ、排出源と連通するように構成された前記開口部から、流体が出ることを防止する、逆止弁を含む安全機構をさらに備え、または、前記排出源と連通するように構成された前記開口部は破断可能なシールをさらに含むことを特徴とする請求項１０に記載の流体収集システム。
【請求項１２】
前記蓋は、吸引源と、前記ライナの外部と前記キャビティの内部の間に位置する空間との間に、介在的連通を提供するように構成された第３の開口部をさらに備えることを特徴とする請求項６に記載の流体収集システム。
【請求項１３】
前記流体収集容器は、密閉された前記内部空間と、吸引源のアクセス口と連通するように構成された前記開口部との間に位置する弁をさらに備え、
前記弁は、ひとたび液体と接触すると、前記吸引源のアクセス口に流体が入ることを防止するように構成され、
前記弁は、浮動ボール型の弁である、または、親水性材料を含むことを特徴とする請求項６に記載の流体収集システム。
【請求項１４】
前記流体収集容器は、少なくとも１つの吸引器具に取り付けられるように構成された開口部、および真空源に取り付けられるように構成された開口部からなる群から選択された少なくとも１つ内に、滴下防止弁をさらに備えることを特徴とする請求項６に記載の流体収集システム。
【請求項１５】
前記吸引源と前記キャビティの内部との間の連通インターフェイスをさらに備え、前記連通インターフェイスが開いている際、前記吸引源との連通が、前記キャビティ内での前記ライナの膨張を生じさせることを特徴とする請求項１４に記載の流体収集システム。
【手続補正２】
【補正対象書類名】明細書
【補正対象項目名】発明の名称
【補正方法】変更
【補正の内容】
【発明の名称】流体収集システム
【手続補正３】
【補正対象書類名】明細書
【補正対象項目名】０００１
【補正方法】変更
【補正の内容】
【０００１】
本出願は、先行する２００７年３月２３日に出願された「液体収集および廃棄システムならびに関連する方法」を題名とする米国仮出願第６０／９１９，６０７号および２００７年８月３日に出願された「液体収集および廃棄システムならびに関連する方法」を題名とする米国特許仮出願第６０／９６３，３２５号による優先権の利益に基づき、この優先権の利益を主張する。これらの出願の各々は、その内容の全てが本明細書に参考文献として組み込まれる。
【手続補正４】
【補正対象書類名】明細書
【補正対象項目名】０００２
【補正方法】変更
【補正の内容】
【０００２】
本発明の態様は、概して、流体収集システムに関連する方法に関する。特に、特定の実施形態は、軟質ライナを利用する液体収集システムに関する。
【手続補正５】
【補正対象書類名】明細書
【補正対象項目名】０００７
【補正方法】変更
【補正の内容】
【０００７】
本発明の態様の利点および他の特徴を、本明細書において具体化され広く述べられるように達成するために、例示的な一態様は、軟質ライナを有する流体収集システムを提供することができる。流体収集システムは、上部開口を有するキャビティを有するハウジングと、前記キャビティに受けられるように構成された流体収集容器と、を備え、前記流体収集容器は、前記上部開口を閉じるように構成された蓋と、前記蓋が前記上部開口を閉じた際に、前記蓋と前記キャビティの間に配置されるようにして前記蓋に取り付けられた軟質ライナと、を備え、前記軟質ライナと前記蓋は、間にほぼ密閉された内部空間を定義し、前記蓋は、前記内部空間が流体を受けるアクセス口を含み、前記軟質ライナは、前記キャビティ内で膨張可能で、前記内部空間から流体が取り出されるにつれて、少なくとも部分的に折りたたまれた状態に折りたたまれるように構成されている。
【手続補正６】
【補正対象書類名】明細書
【補正対象項目名】００５８
【補正方法】削除
【補正の内容】